(57)【要約】【課題】床材の建物垂直部材への接触によるこすれ音を軽減可能な床構造を得る。【解決手段】建物壁２０の端面１８Ｅと対向する垂直対向面２０Ａには、低摩擦係数テープ４０が接着されている。垂直対向面２０Ａは、床材１８の上下動範囲をカバーできるように、端面１８Ｅよりも垂直方向に長く設定されている。低摩擦係数テープ４０は、床材１８側の面が建物壁２０よりも小さい摩擦係数とされ、建物壁２０側に粘着剤が塗布され建物壁２０に接着されている。【選択図】図１
2007154533.tif 000002
【特許請求の範囲】
【請求項１】
建物の床を構成する床材と、
前記床材の端面と対向する垂直対向面を有する建物垂直部材と、
前記床材の端面と前記垂直対向面との間の摩擦抵抗を減少させる摩擦減少手段と、
を備えた、床構造。
【請求項２】
前記摩擦減少手段は、前記床材の端面と前記垂直対向面との間に配置され前記端面及び前記垂直対向面よりも摩擦係数の小さい摩擦減少部材を含んで構成されていること、を特徴とする請求項１に記載の床構造。
【請求項３】
前記摩擦減少部材は、前記床材の端面及び前記垂直対向面の少なくとも一方に接着された低摩擦係数テープで構成されていることを特徴とする、請求項２に記載の床構造。
【請求項４】
ドア枠または敷居枠周りに使用されることを特徴とする、請求項１乃至請求項３のいずれか１項に記載の床構造。
【発明の詳細な説明】
【技術分野】
【０００１】
本発明は、床構造に関し、特に、床材の端面を建物壁などの建物垂直部材に対向させて配設する床構造に関する。
【背景技術】
【０００２】
一般的な住宅や体育館などの建物では木質系の床材が採用されることが多いが、このような床材の端部を建物壁に対向させて配設する構造としては、図８に示すものがある（特許文献１参照）。この構造では、床下地パネル３０２の上の捨張材３０４及び仕上材３０６の端部と壁３０８との間に、湿度の変化等により床材３００が伸縮することによる接触防止のために、空隙３１０が構成されている。空隙３１０は、通常、巾木３１２によって覆われている。
【０００３】
しかしながら、近年、巾木の薄型化に伴って、空隙３１０が狭くなり、床材と壁３０８とが接触するケースが増加している。また、ドア枠、沓ずりなどの納まり構造においても、ドア枠へ床材が突き付けられるケースが増加している。このように、床材が壁などの建物垂直部材に接触すると、床材の上下動によりこすれ音（床鳴り）が発生してしまう。
【特許文献１】特開２００３−２９３５７７号公報
【発明の開示】
【発明が解決しようとする課題】
【０００４】
本発明は上記事実を考慮し、床材の建物垂直部材への接触によるこすれ音を軽減可能な床構造を得ることを課題とする。
【課題を解決するための手段】
【０００５】
上記課題を解決するために、請求項１に記載の発明は、建物の床を構成する床材と、  前記床材の端面と対向する垂直対向面を有する建物垂直部材と、前記床材の端面と前記垂直対向面との間の摩擦抵抗を減少させる摩擦減少手段と、を備えたものである。
【０００６】
上記構成によれば、摩擦減少手段によって、床材の端面と垂直対向面との間の摩擦抵抗が減少されるので、こすれ音を軽減させることができる。
【０００７】
請求項２に記載の発明は、前記摩擦減少手段が、前記床材の端面と前記垂直対向面との間に配置され前記端面及び前記垂直対向面よりも摩擦係数の小さい摩擦減少部材を含んで構成されていること、を特徴とするものである。
【０００８】
このように、摩擦係数の小さい摩擦減少部材を床材の端面と垂直対向面との間に配置することにより、床材の上下動がスムーズに行われ、こすれ音を軽減させることができる。
【０００９】
請求項３に記載の発明は、前記摩擦減少部材が、前記床材の端面及び前記垂直対向面の少なくとも一方に接着された低摩擦係数テープで構成されていることを特徴とするものである。
【００１０】
低摩擦係数テープを床材の端面及び垂直対向面の少なくとも一方に接着することにより、容易に両者の間の摩擦を減少させることができる。
【００１１】
請求項４に記載の発明は、ドア枠または敷居枠周りに使用されることを特徴とするものである。
【００１２】
ドア枠または敷居枠周りについては、床材と建物垂直部材との接触が発生しやすいので、摩擦減少手段を備える構成が好適である。
【発明の効果】
【００１３】
本発明は、上記構成としたので、床材の建物垂直部材への接触によるこすれ音を軽減することができる。
【発明を実施するための最良の形態】
【００１４】
本実施形態の床構造１０は、図１に示されるように、床材１８及び建物壁２０を備えている。床材１８は、床下地パネル２６上に床板２８が敷き並べられ、全体として床材１８が構成されている。床下地パネル２６は、床基盤２２に立設された支持脚２４で支持されている。本実施形態の床材１８（床板２８）は、いわゆる乾式遮音二重床とされており、遮音性能が高められている。なお、このように遮音性能が高められた床材としては、乾式遮音二重床に限定されないが、少なくとも遮音材を含む多重構造とされていることが好ましい。
【００１５】
床材１８は、図２にも示すように、その端面１８Ｅが建物壁２０との間に所定のクリアランス３０を構成するように配設されている。これにより、床材１８から建物壁２０への振動が直接的に伝わらないようになっている。
【００１６】
建物壁２０の端面１８Ｅと対向する垂直対向面２０Ａには、低摩擦係数テープ４０が接着されている。低摩擦係数テープ４０は、両面テープを用いて接着したり、低摩擦係数テープ４０の片面に粘着材を塗布して接着したりすることができる。垂直対向面２０Ａは、床材１８の上下動範囲をカバーできるように、端面１８Ｅよりも垂直方向に長く設定されている。低摩擦係数テープ４０は、床材１８側の面が建物壁２０よりも小さい摩擦係数とされ、建物壁２０側に粘着剤が塗布され建物壁２０に接着されている。
【００１７】
低摩擦係数テープ４０としては、樹脂、金属などのあらゆる材質のものを用いることができるが、摩擦抵抗が０．５以下のものが好ましい。具体的には、テフロン（登録商標）加工のテープを用いたり、図３に示すように、表面がヘアーライン加工されたテープを用いたりすることができる。なお、低摩擦係数テープ４０の厚みは、摩擦による摩耗の観点から０．１ｍｍ以上が好ましく、巾木１４の厚みや見栄えの観点より０．５ｍｍ以下が好ましい。
【００１８】
床材１８の端面１８Ｅの上方には、巾木１４が配置され、建物壁２０に取り付けられている。クリアランス３０は、巾木１４の厚みによって吸収されている。巾木１４は、その下面と床材１８の上面との間に隙間が構成されるように、上下方向の位置が決められて建物壁２０に取り付けられている。
【００１９】
このような構成とされた床構造１０では、床材１８が湿度の変化等により伸張した場合、端面１８Ｅは、建物壁２０に直接接触せずに建物壁２０に接着されている低摩擦係数テープ４０と接触する。したがって、床材１８に上下動が加えられても、床材１８がスムーズに上下動して、こすれ音（床鳴り）は軽減される。また、巾木１４が薄いものであっても、クリアランス３０を狭くすることができるので、見栄えを損ねることがない。
【００２０】
なお、上記では、低摩擦係数テープ４０を建物壁２０側に接着した例について説明したが、図４（Ａ）に示すように、低摩擦係数テープ４０を床材１８側の端面１８Ｅに接着してもよい。また、図４（Ｂ）に示すように、建物壁２０側と床材１８側の両方に接着してもよい。
【００２１】
また、上記では、低摩擦係数テープ４０を垂直対向面２０Ａまたは端面１８Ｅに接着した例について説明したが、低摩擦係数テープ４０に代えて、板状の低摩擦係数板４２を用いてもよい。この場合には、図５に示すように、垂直対向面２０Ａと端面１８Ｅとの間に、低摩擦係数板４２を配置する。低摩擦係数板４２は、垂直対向面２０Ａまたは端面１８Ｅに接着して配置することができる。
【００２２】
また、低摩擦係数テープ４０を用いることなく垂直対向面２０Ａと端面１８Ｅとの間の摩擦を小さくするために、垂直対向面２０Ａ及び端面１８Ｅの少なくとも一方に、摩擦係数低減塗料を塗布してもよい。摩擦係数低減塗料としては、フッ素樹脂系、シリコン樹脂系、パラフィン系の塗料を用いることができる。
【００２３】
また、上記では、巾木１４の配置された部分に適用された床構造について説明したが、本発明の床構造は、図６に示すように、ドア枠５０付近の床構造１２としても、好適に使用される。この場合には、建物垂直部材としてのドア枠５０が床材１８の端面１８Ｅと対向する垂直対向面５０Ａ、及び、端面１８Ｅの少なくとも一方に低摩擦係数テープ４０を接着すればよい。
【実施例】
【００２４】
本実施形態の床構造１０において、低摩擦係数テープ４０の摩擦係数と床鳴り発生率との関係を調査した。図７に調査結果をグラフで示す。図７のグラフから、低摩擦係数テープ４０の摩擦係数の上昇に伴って、床鳴り発生率が高くなることが明らかである。摩擦抵抗の低い低摩擦係数テープ４０を用いることにより、床鳴り発生率をより低下させて、こすれ音を低減させることができる。
【００２５】
また、摩擦係数を０．５以下とすることにより、床鳴り発生率を、５０％以下に抑制することができ、有効にこすれ音を軽減させることができる。
【図面の簡単な説明】
【００２６】
【図１】本実施形態の床構造を示す断面図である。
【図２】本実施形態の床構造を拡大して示す断面図である。
【図３】本実施形態の床構造に使用される低摩擦係数テープを示す図である。
【図４】本実施形態の床構造の変形例を示す断面図である。
【図５】本実施形態の床構造の他の変形例を示す断面図である。
【００２７】
本発明の第３実施形態の巾木取付構造及び床構造を拡大して示す断面図である。
【図６】ドア枠付近に適用された本実施形態の床構造を示す断面図である。
【図７】本実施形態の床構造における低摩擦係数テープと床鳴り発生率との関係を示すグラフである。
【図８】従来の床構造を示す断面図である。
【符号の説明】
【００２８】
１０   床構造
１２   床構造
１４   巾木
１８   床材
１８Ｅ 端面
２０   建物壁
２０Ａ 垂直対向面
３０   クリアランス
４０   低摩擦係数テープ
４２   低摩擦係数板
５０   ドア枠
５０Ａ 垂直対向面
【図１】
2007154533.tif 000003
【図２】
2007154533.tif 000004
【図３】
2007154533.tif 000005
【図４】
2007154533.tif 000006
【図５】
2007154533.tif 000007
【図６】
2007154533.tif 000008
【図７】
2007154533.tif 000009
【図８】
2007154533.tif 000010